(57)【特許請求の範囲】
【請求項１】
建具枠と、
前記建具枠内にスライド開閉自在に配置された障子と、
前記障子の戸先框の屋内側の見付面に固定された錠本体と、
前記建具枠に設けられた錠受け部材とを備えた建具であって、
前記錠本体は、フック部と、前記フック部を前記戸先框に近づく屋外方向に付勢して前記錠受け部材に係合させる付勢部材とを備え、
前記建具枠は、前記障子を閉めた際に、前記戸先框とフック部との間に配置される気密材保持部を備え、
前記気密材保持部の屋外面には、前記障子を閉めた際に、前記戸先框に接触する気密材が設けられ、
前記建具枠または前記錠受け部材は、前記障子を閉めた際に前記付勢部材で付勢されたフック部が当接して、前記フック部の前記戸先框に近づく方向の移動を規制する移動規制面を備え、
前記障子を開いた状態での前記移動規制面から、前記気密材の屋外側端部までの見込み寸法を寸法Ａとし、
前記戸先框において前記気密材が接触する接触面から、前記フック部における前記移動規制面に当接する当接部までの見込み寸法を寸法Ｂとし、
前記移動規制面から前記気密材保持部の屋外面までの見込み寸法を寸法Ｃとした場合、
寸法Ｂは、前記寸法Ｃよりも大きく、かつ、寸法Ａよりも小さい寸法に設定されている建具。
【請求項２】
建具枠と、
前記建具枠内にスライド開閉自在に配置された障子と、
前記障子の戸先框の屋内側の見付面に固定された錠本体と、
前記建具枠に設けられた錠受け部材とを備えた建具であって、
前記錠本体は、フック部と、前記フック部を前記戸先框から離れる屋内方向に付勢して前記錠受け部材に係合させる付勢部材とを備え、
前記建具枠は、前記障子を閉めた際に、前記戸先框の屋外側に配置される気密材保持部を備え、
前記気密材保持部の屋内面には、前記障子を閉めた際に、前記戸先框に接触する気密材が設けられ、
前記建具枠または前記錠受け部材は、前記障子を閉めた際に前記付勢部材で付勢されたフック部が当接して、前記フック部の前記戸先框から離れる方向の移動を規制する移動規制面を備え、
前記障子を開いた状態での前記移動規制面から、前記気密材の屋内側端部までの見込み寸法を寸法Ａとし、
前記戸先框において前記気密材が接触する接触面から、前記フック部における前記移動規制面に当接する当接部までの見込み寸法を寸法Ｂとし、
前記移動規制面から前記気密材保持部の屋内面までの見込み寸法を寸法Ｃとした場合、
寸法Ｂは、前記寸法Ａよりも大きく、かつ、寸法Ｃよりも小さい寸法に設定されている建具。
【請求項３】
前記建具枠内には、前記障子として内障子および外障子が設けられ、
前記各障子の召合せ框の一方である第１召合せ框には第１引寄せ片が取り付けられ、他方の第２召合せ框には第２引寄せ片が取り付けられ、
前記第１引寄せ片は、前記第１召合せ框の見込み寸法内に配置され、かつ、前記第１召合せ框から第１召合せ框が保持するガラス側の見付け方向に突出する第１当接部を備え、
前記第２引寄せ片は、前記第１召合せ框の見込み寸法内まで延長されて前記第１当接部に当接する第２当接部を備え、
前記第１当接部および第２当接部は、互いに当接した際に、前記第１召合せ框および第２召合せ框を互いに近づく方向に引き寄せて、前記第１召合せ框または第２召合せ框の少なくとも一方に設けられた気密材を、他方の見付面に密着させる請求項１または請求項２に記載の建具。
【発明の詳細な説明】
【技術分野】
【０００１】
本発明は、戸先錠を備えた建具に関する。
【背景技術】
【０００２】
従来、引違い窓などにおいて、戸先框に戸先錠を設けたものが知られている（特許文献１参照）。
この特許文献１の戸先錠は、縦枠に取り付けた錠受け部材と、障子の戸先框に取り付けた錠本体とを備えている。そして、錠本体のフック部材を、錠受け部材の係合孔に係合させることで、障子をスライド移動できないように施錠している。
【先行技術文献】
【特許文献】
【０００３】
【特許文献１】特開２０１０−２４８０４号公報
【発明の概要】
【発明が解決しようとする課題】
【０００４】
ところで、障子を建具枠に沿ってスライド移動させて開閉する引違い窓や引戸、上げ下げ窓などの建具では、建具枠に設けた気密材を、障子の框の見付面に当接して気密性を向上させている。
そして、縦枠および戸先框に引き寄せ機構を設け、障子を閉めた際に、戸先框を建具枠に設けた気密材側に引き寄せて、気密材を戸先框に密着させていた。
【０００５】
このため、障子の戸先框および建具枠に、戸先錠に加えて引き寄せ機構を設けなければならず、部品点数が増えて建具の組立性が低下し、コストも増加するという課題がある。
【０００６】
本発明の目的は、戸先錠とは別の引き寄せ機構を設けることなく、気密材を確実に戸先框に密着させることができる建具を提供することにある。
【課題を解決するための手段】
【０００７】
本発明は、建具枠と、前記建具枠内にスライド開閉自在に配置された障子と、前記障子の戸先框の屋内側の見付面に固定された錠本体と、前記建具枠に設けられた錠受け部材とを備えた建具であって、前記錠本体は、フック部と、前記フック部を前記戸先框に近づく屋外方向に付勢して前記錠受け部材に係合させる付勢部材とを備え、前記建具枠は、前記障子を閉めた際に、前記戸先框とフック部との間に配置される気密材保持部を備え、前記気密材保持部の屋外面には、前記障子を閉めた際に、前記戸先框に接触する気密材が設けられ、前記建具枠または前記錠受け部材は、前記障子を閉めた際に前記付勢部材で付勢されたフック部が当接して、前記フック部の前記戸先框に近づく方向の移動を規制する移動規制面を備え、前記障子を開いた状態での前記移動規制面から、前記気密材の屋外側端部までの見込み寸法を寸法Ａとし、前記戸先框において前記気密材が接触する接触面から、前記フック部における前記移動規制面に当接する当接部までの見込み寸法を寸法Ｂとし、前記移動規制面から前記気密材保持部の屋外面までの見込み寸法を寸法Ｃとした場合、寸法Ｂは、前記寸法Ｃよりも大きく、かつ、寸法Ａよりも小さい寸法に設定されていることを特徴とする。
【０００８】
本発明では、戸先框において気密材が接触する接触面およびフック部の当接部が互いに対向して設けられ、これらの接触面および当接部間の見込み寸法が寸法Ｂとされる。一方、建具枠の移動規制面および気密材の屋外側端部までの見込み寸法が寸法Ａとされ、建具枠の移動規制面および気密材保持部の屋外面つまり気密材の基端部までの見込み寸法が寸法Ｃとされる。そして、寸法Ｂは、前記寸法Ｃよりも大きく、かつ、寸法Ａよりも小さい寸法に設定される。
従って、障子を閉めて、戸先框の前記接触面および前記当接部間に、建具枠の気密材保持部および気密材が配置されると、前記フック部の当接部が移動規制面に当接し、付勢部材の付勢力で戸先框が気密材保持部側に引き寄せられる。このため、戸先框の接触面と気密材との密着が強くなり、気密性を向上できるとともに、戸先框のがたつきも防止できる。また、戸先錠が戸先框の引き寄せ機構を兼用しているので、部品点数を低減できて建具の組立性を向上でき、コストも低減できる。
【０００９】
本発明は、建具枠と、前記建具枠内にスライド開閉自在に配置された障子と、前記障子の戸先框の屋内側の見付面に固定された錠本体と、前記建具枠に設けられた錠受け部材とを備えた建具であって、前記錠本体は、フック部と、前記フック部を前記戸先框から離れる屋内方向に付勢して前記錠受け部材に係合させる付勢部材とを備え、前記建具枠は、前記障子を閉めた際に、前記戸先框の屋外側に配置される気密材保持部を備え、前記気密材保持部の屋内面には、前記障子を閉めた際に、前記戸先框に接触する気密材が設けられ、前記建具枠または前記錠受け部材は、前記障子を閉めた際に前記付勢部材で付勢されたフック部が当接して、前記フック部の前記戸先框から離れる方向の移動を規制する移動規制面を備え、前記障子を開いた状態での前記移動規制面から、前記気密材の屋内側端部までの見込み寸法を寸法Ａとし、前記戸先框において前記気密材が接触する接触面から、前記フック部における前記移動規制面に当接する当接部までの見込み寸法を寸法Ｂとし、前記移動規制面から前記気密材保持部の屋内面までの見込み寸法を寸法Ｃとした場合、寸法Ｂは、前記寸法Ａよりも大きく、かつ、寸法Ｃよりも小さい寸法に設定されていることを特徴とする。
【００１０】
本発明では、建具枠の移動規制面および気密材が互いに対向して設けられ、これらの移動規制面および気密材の屋内側端部間の見込み寸法が寸法Ａとされる。一方、戸先框において気密材が接触する接触面およびフック部の当接部までの見込み寸法が寸法Ｂとされる。さらに、建具枠の移動規制面および気密材保持部の屋内面つまり気密材の基端部までの見込み寸法が寸法Ｃとされる。そして、寸法Ｂは、前記寸法Ａよりも大きく、かつ、寸法Ｃよりも小さい寸法に設定される。
従って、障子を閉めて、建具枠の移動規制面および気密材保持部間に、戸先框が配置されると、前記フック部が移動規制面に当接し、付勢部材の付勢力で戸先框が気密材保持部側に引き寄せられる。このため、戸先框の接触面と気密材との密着が強くなり、気密性を向上できるとともに、戸先框のがたつきも防止できる。また、戸先錠が戸先框の引き寄せ機構を兼用しているので、部品点数を低減できて建具の組立性を向上でき、コストも低減できる。
【００１１】
本発明の建具において、前記建具枠内には、前記障子として内障子および外障子が設けられ、前記各障子の召合せ框の一方である第１召合せ框には第１引寄せ片が取り付けられ、他方の第２召合せ框には第２引寄せ片が取り付けられ、前記第１引寄せ片は、前記第１召合せ框の見込み寸法内に配置され、かつ、前記第１召合せ框から第１召合せ框が保持するガラス面側の見付け方向に突出する第１当接部を備え、前記第２引寄せ片は、前記第１召合せ框の見込み寸法内まで延長されて前記第１当接部に当接する第２当接部を備え、前記第１当接部および第２当接部は、互いに当接した際に、前記第１召合せ框および第２召合せ框を互いに近づく方向に引き寄せて、前記第１召合せ框または第２召合せ框の少なくとも一方に設けられた気密材を、他方の見付面に密着させることが好ましい。
【００１２】
本発明では、障子を閉めると、内障子および外障子の各召合せ框の一方である第１召合せ框の第１引寄せ片の第１当接部が、他方の第２召合せ框の第２引寄せ片の第２当接部に当接する。この際、各当接部は、たとえば、各当接部に傾斜面が形成されることなどで、互いに当接した際に各召合せ框を互いに近づける方向に引き寄せる。このため、各召合せ框の見付面間に配置される気密材と、各召合せ框の見付面との密着が強くなり、召合せ框部分における気密性を向上できるとともに、召合せ框のがたつきも防止できる。
【図面の簡単な説明】
【００１３】
【図１】本発明の第１実施形態に係る引違い窓の横断面図である。
【図２】前記引違い窓の縦断面図である。
【図３】外障子の戸先錠を示す斜視図である。
【図４】戸先錠の錠本体を示す分解斜視図である。
【図５】戸先錠の錠本体を示す分解斜視図である。
【図６】戸先錠の錠本体が錠受け部材から離れた状態を説明する横断面図である。
【図７】戸先錠の錠本体が錠受け部材に当接した状態を説明する横断面図である。
【図８】戸先錠の錠本体が錠受け部材に係合した状態を説明する横断面図である。
【図９】内障子の戸先錠を示す横断面図である。
【図１０】戸先錠の錠本体が錠受け部材に係合した状態を説明する横断面図である。
【図１１】召合せ框の引寄せ機構を示す横断面図である。
【図１２】召合せ框の引寄せ機構を示す斜視図である。
【図１３】本発明の第２実施形態の戸先錠を示す横断面図である。
【図１４】第２実施形態の戸先錠の錠本体が錠受け部材に係合した状態を説明する横断面図である。
【発明を実施するための形態】
【００１４】
［第１実施形態］
以下、本発明の第１実施形態を図面に基づいて説明する。
図１および図２において、第１実施形態に係る建具としての引違い窓１は、建具枠である窓枠２と、内外の障子３、４とを備えて構成されている。
【００１５】
［窓枠の構成］
窓枠２は、上枠１１、下枠１２および左右の縦枠１３，１４を備えて構成される。上枠１１および下枠１２は、押出成形で製造された合成樹脂材であり、上レール１５、下レール１６を備えている。
【００１６】
縦枠１３は、押出成形で製造された合成樹脂製の部材であり、窓枠２の見込み方向に沿った縦枠本体部１３１と、縦枠本体部１３１の室外側端部から見付け方向に突出された室外見付け片部１３２と、縦枠本体部１３１の室内側端部から見付け方向に突出された室内見付け片部１３３と、縦枠本体部１３１の見込み方向の中間部分から見付け方向に突出された中間見付け片部１３４とを備えている。
中間見付け片部１３４の見付け方向先端には、屋外側つまり外障子４側に向かって軟質の気密材１３５が突設されている。また、縦枠本体部１３１の外面の室外側端部および室内側端部には、縦枠１３の見付け方向外側に向かって軟質の気密材１３７，１３８が突設されている。
従って、縦枠１３は、気密材１３５，１３７，１３８部分が軟質の樹脂製とされ、他の部分は硬質の樹脂製とされた二色押出成形で製造されている。
【００１７】
縦枠１４は、縦枠１３と同様に構成されている。すなわち、縦枠１４は、窓枠２の見込み方向に沿った縦枠本体部１４１と、縦枠本体部１４１の室外側端部から見付け方向に突出された室外見付け片部１４２と、縦枠本体部１４１の室内側端部から見付け方向に突出された室内見付け片部１４３と、縦枠本体部１４１の見込み方向の中間部分から見付け方向に突出された中間見付け片部１４４とを備えている。
中間見付け片部１４４の見付け方向先端には、屋内側つまり内障子３側に向かって軟質の気密材１４５が突設されている。また、縦枠本体部１４１の外面の室外側端部および室内側端部には、縦枠１４の見付け方向外側に向かって軟質の気密材１４７，１４８が突設されている。
従って、縦枠１４も、気密材１４５，１４７，１４８部分が軟質の樹脂製とされ、他の部分は硬質の樹脂製とされた二色押出成形で製造されている。
【００１８】
［障子の構成］
内障子３および外障子４は、前記上レール１５、下レール１６に沿って窓枠２内を左右方向にスライド移動可能に支持されている。
内障子３は、上框３１、下框３２、戸先框３３、召合せ框（戸尻框）３４を枠組みして構成され、内部にガラス３５を保持している。
外障子４は、上框４１、下框４２、戸先框４３、召合せ框（戸尻框）４４を枠組みして構成され、内部にガラス４５を保持している。
【００１９】
内障子３の戸先框３３は、押出成形された合成樹脂製の框本体３３１と、框本体３３１の中空部内に配置されたアルミ押出成形品の補強部材３３２とを備える。
外障子４の戸先框４３は、戸先框３３と同様に、框本体４３１と、框本体４３１の中空部内に配置された補強部材４３２とを備える。ここで、戸先框４３の屋内側の見付面によって、前記気密材１３５が接触する接触面４３Ａが構成されている。
【００２０】
内障子３の召合せ框３４は、押出成形された合成樹脂製の框本体３４１と、框本体３４１の中空部内に配置されたアルミ押出成形品の補強部材３４２とを備える。
框本体３４１の屋外面には、框本体３４１の長手方向（上下方向）に沿って連続し、かつ、断面Ｌ字状の突起部３４３、３４４が、框本体３４１に一体に形成されている。これらの突起部３４３、３４４のうち、内障子３の外周側の突起部３４３の屋外面にはリップ状の気密材３４５が上下方向に連続して一体に形成されている。
【００２１】
外障子４の召合せ框４４は、召合せ框３４と同様に、框本体４４１と、框本体４４１の中空部内に配置された補強部材４４２とを備える。
框本体４４１の屋内面には、框本体４４１の長手方向（上下方向）に沿って連続し、かつ、断面Ｌ字状の突起部４４３、４４４が框本体４４１に一体に形成されている。これらの突起部３４３、３４４のうち、外障子４の外周側の突起部４４３の屋内面にはリップ状の気密材４４５が上下方向に連続して一体に形成されている。
【００２２】
［外障子の戸先錠の構成］
戸先框４３および縦枠１３には、戸先錠５０が設けられている。戸先錠５０は、縦枠１３に取り付けられた錠受け部材５１と、戸先框４３に取り付けられた錠本体５２とを備える。
【００２３】
［錠受け部材］
錠受け部材５１は、図３にも示すように、金属板をＬ字状に折り曲げて形成されている。このため、錠受け部材５１は、縦枠１３に固定される固定板部５１１と、この固定板部５１１から直交方向に延長された係合板部５１２とを備える。
【００２４】
この固定板部５１１および係合板部５１２の交差部つまり錠受け部材５１の折曲部には、係合孔５１３が形成されている。すなわち、係合孔５１３は、固定板部５１１および係合板部５１２に跨って形成されている。
錠受け部材５１は、中間見付け片部１３４および室内見付け片部１３３間に配置され、固定板部５１１に形成された孔５１４から縦枠１３を介して建物の躯体（壁など）にねじ込まれる図示略のネジで縦枠１３に取り付けられている。
【００２５】
［錠本体］
錠本体５２は、図４、５にも示すように、台座５３、摘み５４、ピン５５、付勢部材である板バネ５６、裏板５７、ビスカバー５８を備えて構成されている。
台座５３には、図示略のネジ（ビス）が挿通される取付孔５３１が形成されている。そして、この取付孔５３１に挿通されたネジを、戸先框４３にねじ込むことで、錠本体５２は戸先框４３の屋内面に取り付けられる。
【００２６】
ビスカバー５８にはフック部５８１が形成されている。このフック部５８１によってビスカバー５８を、台座５３に着脱自在に取り付けることができる。ビスカバー５８を台座５３に取り付けることで、前記ネジを隠すことができる。
【００２７】
台座５３は、台座５３の表面側から裏面側に貫通する貫通孔５３２を備えている。また、台座５３には、貫通孔５３２および台座５３の裏面に開口する長溝５３３が形成されている。さらに、台座５３の裏面には、裏板５７を位置決めするための突起５３４が形成されている。
【００２８】
摘み５４は、操作バー５４１と、ピン５５が挿通される軸孔５４２と、鎌状のフック部５４３とを備えている。フック部５４３の先端部には傾斜面５４４が形成されている。
この摘み５４の軸孔５４２が形成されたフック部５４３の基端部を前記貫通孔５３２の位置に配置すると、軸孔５４２の開口は、長溝５３３に連通する。従って、ピン５５を台座５３の裏面から長溝５３３を介して前記軸孔５４２に挿入することで、摘み５４は台座５３に対してピン５５を軸に回動自在に保持される。
【００２９】
板バネ５６は、固定部５６１と押圧部５６２とを備えて略Ｌ字状に折曲されている。この板バネ５６の押圧部５６２は、貫通孔５３２に沿って配置され、前記摘み５４の背面側に配置される。また、固定部５６１は、裏板５７で押さえられて固定される。
この板バネ５６の押圧部５６２は、前記フック部５４３が前記戸先框４３側に近づく方向に前記摘み５４を付勢している。
【００３０】
裏板５７は、前記突起５３４に係合する孔５７１と、２つの突起５７２とを備えている。突起５７２は、前記軸孔５４２に挿入されたピン５５の端面に対向する位置に配置される。このため、突起５７２は、ピン５５が軸孔５４２から抜けることを防止している。
【００３１】
［戸先錠の施錠動作］
このような錠本体５２において、利用者が前記板バネ５６の付勢力よりも大きな力で、前記摘み５４の操作バー５４１を台座５３側に押し込むと、前記フック部５４３は、その先端が戸先框４３から離れる方向に回動する。
一方、利用者が押し込んでいた操作バー５４１を離すと、前記フック部５４３は、前記板バネ５６の付勢力により、その先端が戸先框４３に近づく方向に回動し、フック部５４３が台座５３に当接した位置で停止する。
【００３２】
このような戸先框４３に取り付けられた戸先錠５０は、図６〜８に示すように、錠本体５２のフック部５４３を、錠受け部材５１の係合孔５１３に係合することで施錠される。なお、本実施形態では、錠受け部材５１の係合板部５１２は、縦枠１３の中間見付け片部１３４の屋内面に近接して配置されている。このため、係合孔５１３に係合したフック部５４３は、その先端が中間見付け片部１３４の屋内面に当接することで、見込み方向の移動が規制される。
従って、中間見付け片部１３４の屋内面によって移動規制面１３６が構成され、フック部５４３の先端によって移動規制面１３６に当接する当接部５４５が構成されている。
【００３３】
ここで、図６に示すように、前記外障子４を開いた状態、つまり戸先錠５０が施錠されていない状態であり、気密材１３５も戸先框４３の接触面４３Ａに接触していない状態において、縦枠１３の移動規制面１３６と、戸先框４３の接触面４３Ａに接触する気密材１３５の屋外側端部（本実施形態では気密材１３５の先端部）との見込み寸法を寸法Ａとする。
【００３４】
また、図６の状態における戸先框４３の接触面４３Ａと、フック部５４３の当接部５４５との見込み寸法を寸法Ｂとする。ここで、前記当接部５４５は、利用者が摘み５４を押し込むことなどで、見込み方向に移動するが、前記寸法Ｂは前記フック部５４３の当接部５４５が最も接触面４３Ａに近づいた状態の寸法つまり最小寸法である。
【００３５】
さらに、図６に示すように、縦枠１３の移動規制面１３６と、中間見付け片部１３４の屋外面つまり気密材１３５の基端部との見込み寸法を寸法Ｃとする。
そして、本実施形態では、前記寸法Ｂは寸法Ａよりも小さな寸法に設定されている。本実施形態では、寸法Ａは、寸法Ｂの１．２〜１．３倍程度に設定されている。また、前記寸法Ｂは、寸法Ｃよりも大きな寸法に設定されている。従って、各寸法Ａ，Ｂ，Ｃは、Ｃ＜Ｂ＜Ａの関係に設定されている。
【００３６】
ここで、外障子４を閉めると、図７に示すように、フック部５４３の傾斜面５４４が錠受け部材５１の係合板部５１２の端部に当接する。このため、フック部５４３は、前記板バネ５６の付勢力に抗して、前記傾斜面５４４の作用で屋内側つまり戸先框４３から離れる方向に回動する。
そのまま、外障子４を閉めると、図８に示すように、フック部５４３の先端は、錠受け部材５１の係合板部５１２に当接し、さらに係合孔５１３に移動する。このため、フック部５４３は、前記板バネ５６の付勢力によって、戸先框４３に近づく方向に回動する。
【００３７】
このとき、戸先框４３の接触面４３Ａの見込み方向の位置は、フック部５４３の先端の当接部５４５が移動規制面１３６に当接する位置で最も屋外側となる。この際、フック部５４３の当接部５４５つまり移動規制面１３６から接触面４３Ａまでの見込み寸法は、前記板バネ５６の付勢力によって寸法Ｂに維持される。従って、移動規制面１３６から寸法Ａ（Ｂ＜Ａ）の位置にある気密材１３５の屋外側端部は、確実に接触面４３Ａに接触する。従って、外障子４を閉めると、戸先框４３によって施錠が自動的に行われ、かつ、縦枠１３および戸先框４３間の気密性も確保される。
【００３８】
［内障子の戸先錠の構成］
内障子３の戸先框３３および縦枠１４には、戸先錠６０が設けられている。戸先錠６０は、縦枠１４に取り付けられた錠受け部材６１と、戸先框３３に取り付けられた錠本体５２とを備える。
【００３９】
［錠受け部材］
錠受け部材６１は、図９にも示すように、金属板を折り曲げて形成されている。このため、錠受け部材６１は、縦枠１４に固定される固定板部６１１と、この固定板部６１１から直交方向に延長された直交板部６１２と、直交板部６１２の端部から固定板部６１１側とは反対側に延長されてさらに斜め方向に折り曲げられた係合板部６１３とを備える。
なお、係合板部６１３の幅寸法（縦枠１４に沿った上下方向の寸法）は、固定板部６１１や直交板部６１２の幅寸法（縦枠１４に沿った上下方向の寸法）よりも小さな寸法に設定されている。さらに、係合板部６１３の幅寸法は、フック部５４３の幅寸法よりも小さな寸法に設定されている。
【００４０】
錠受け部材６１は、中間見付け片部１４４および室内見付け片部１４３間に配置され、固定板部６１１に形成された図示略の孔から縦枠１４を介して建物の躯体（壁など）にねじ込まれる図示略のネジで縦枠１４に取り付けられている。
【００４１】
［錠本体］
戸先錠６０の錠本体５２は、戸先錠５０の錠本体５２と同じものであるため、説明を省略する。この戸先錠６０の錠本体５２も、図示略のネジで戸先框３３の屋内面（見付面）に取り付けられている。
【００４２】
このような錠本体５２において、利用者が前記板バネ５６の付勢力よりも大きな力で、前記摘み５４の操作バー５４１を台座５３側に押し込むと、前記フック部５４３は、その先端が戸先框３３から離れる方向に回動する。
一方、利用者が押し込んでいた操作バー５４１を離すと、前記フック部５４３は、前記板バネ５６の付勢力により、その先端が戸先框３３に近づく方向に回動し、フック部５４３が台座５３に当接した位置で停止する。
【００４３】
このような戸先框３３に取り付けられた戸先錠６０は、図１０に示すように、錠本体５２のフック部５４３を、錠受け部材６１の係合板部６１３に係合することで施錠される。なお、本実施形態では、錠受け部材６１の係合板部６１３は、縦枠１４の室内見付け片部１４３の屋内側に配置されている。このため、係合板部６１３に係合したフック部５４３は、その先端が室内見付け片部１４３の屋内面に当接することで、見込み方向の移動が規制される。
従って、縦枠１４において、室内見付け片部１４３の屋内面によって移動規制面１４６が構成され、フック部５４３の先端によって移動規制面１４６に当接する当接部５４５が構成されている。
【００４４】
ここで、図９に示すように、前記内障子３を開いた状態、つまり戸先錠６０が施錠されていない状態であり、気密材１４５も戸先框３３の屋外側の接触面３３Ａに接触していない状態において、縦枠１４の移動規制面１４６と気密材１４５の屋内側端部（本実施形態では気密材１４５の先端）との見込み寸法を寸法Ｄとする。
また、図９の状態における戸先框３３の接触面３３Ａと、フック部５４３の当接部５４５との見込み寸法を寸法Ｅとする。ここで、前記フック部５４３の当接部５４５は、利用者が摘み５４を押し込むことなどで、見込み方向に移動するが、前記寸法Ｅは前記当接部５４５が最も戸先框３３に近づいた状態の寸法、つまり最小寸法である。
そして、本実施形態では、前記寸法Ｄは寸法Ｅよりも小さな寸法に設定されている。本実施形態では、寸法Ｅは、寸法Ｄの１．１〜１．２倍程度に設定されている。
【００４５】
ここで、内障子３を閉めると、フック部５４３の傾斜面５４４が錠受け部材６１の係合板部６１３に当接する。このため、フック部５４３は、前記板バネ５６の付勢力に抗して、前記傾斜面５４４および係合板部６１３に案内されて屋内側つまり戸先框３３から離れる方向に回動する。
そのまま、内障子３を閉めると、図１０に示すように、フック部５４３の先端が錠受け部材６１の係合板部６１３の端部を超えて移動する。このため、フック部５４３は、前記板バネ５６の付勢力によって、戸先框３３に近づく方向に回動する。
このとき、戸先框３３の接触面３３Ａの見込み方向の位置は、フック部５４３の先端の当接部５４５が移動規制面１４６に当接する位置で最も屋外側となる。この際、フック部５４３の当接部５４５つまり移動規制面１４６から接触面３３Ａまでの見込み寸法は、前記板バネ５６の付勢力によって寸法Ｄに維持される。従って、移動規制面１４６から寸法Ｄ（Ｄ＜Ｅ）の位置にある気密材１４５の屋内側端部は、通常は接触面３３Ａに接触し、気密性を確保する。
【００４６】
［召合せ框の引寄せ機構］
次に、内障子３の召合せ框３４および外障子４の召合せ框４４間の引寄せ機構７０に関して説明する。
図１１、１２に示すように、召合せ框の引寄せ機構７０は、第１召合せ框である召合せ框３４に取り付けられた第１引寄せ片７１と、第２召合せ框である召合せ框４４に取り付けられた第２引寄せ片７２とを備える。
【００４７】
［第１引寄せ片］
第１引寄せ片７１は、召合せ框３４の屋外面に図示略のネジで固定された板状部材である。召合せ框３４の框本体３４１の屋外面には、前述の通り、断面Ｌ字状の突起部３４３、３４４が一体に形成されている。ここで、第１引寄せ片７１の厚さ寸法（引違い窓１の見込み方向の寸法）は、突起部３４３、３４４の見込み方向の寸法（框本体３４１の屋外面からの突出寸法）以下に設定されている。このため、第１引寄せ片７１は、突起部３４３、３４４よりも屋外側に突出しないように取り付けられている。
【００４８】
また第１引寄せ片７１のガラス３５側は、召合せ框３４よりも見付け方向に突出しており、その先端部に第１当接部７１１が形成されている。
このため、第１引寄せ片７１が配置される部分に対応する突起部３４４は切り欠かれており、この切り欠き部分に第１引寄せ片７１が取り付けられている。そして、第１引寄せ片７１の第１当接部７１１は、召合せ框３４よりも戸先框３３側に突出されている。この第１当接部７１１の端部には、戸先框３３側に向かうにしたがって屋外側の位置となるように傾斜された傾斜面７１３が形成されている。
【００４９】
［第２引寄せ片］
第２引寄せ片７２は、召合せ框４４に図示略のネジで固定された固定板部７２１と、固定板部７２１から連続して形成された保持部７２２とを備えている。
固定板部７２１は、召合せ框４４のガラス保持側とは反対側つまり縦枠１４に対向する見込み面に固定されている。
【００５０】
保持部７２２は、前記第１引寄せ片７１の第１当接部７１１が配置可能な溝７２２１を備えて横断面形状が略Ｕ字状に形成されている。この保持部７２２において、溝７２２１の屋内側は第２当接部７２２２とされている。
すなわち、保持部７２２は、第２当接部７２２２の見込み方向の位置が召合せ框３４の見込み寸法内となるように形成されている。このため、第２当接部７２２２の見込み方向の位置は、召合せ框３４の突起部３４３、３４４よりも屋内側に設定され、前記第１引寄せ片７１の第１当接部７１１に当接可能な位置とされている。
第２当接部７２２２の端部には、召合せ框３４側に向かうにしたがって屋外側の位置となるように傾斜された傾斜面７２３が形成されている。
【００５１】
［召合せ框の引き寄せ動作］
障子３，４を閉じた際に、各召合せ框３４、４４が見込み方向に離れていても、第１当接部７１１および第２当接部７２２２の端面同士が当接すれば、その傾斜面７１３、７２３の案内で、各召合せ框３４、４４は互いに近づく方向に引き寄せられる。
このため、突起部３４３から突設された気密材３４５は、突起部４４４の屋内面に確実に密着し、突起部４４３から突設された気密材４４５は、突起部３４４の屋外面に確実に密着する。
【００５２】
［第１実施形態の作用効果］
（１）外障子４の戸先錠５０において、前記各寸法Ａ，Ｂ，Ｃを、Ｃ＜Ｂ＜Ａの関係に設定しているので、外障子４を閉めると前記フック部５４３の当接部５４５が移動規制面１３６に当接し、板バネ５６の付勢力で戸先框４３が気密材保持部である中間見付け片部１３４側に引き寄せられる。このため、戸先框４３の接触面４３Ａと気密材１３５との密着が強くなり、気密性を向上できるとともに、戸先框４３のがたつきも防止できる。また、戸先錠５０が戸先框４３の引き寄せ機構を兼用しているので、部品点数を低減できて引違い窓１の組立性を向上でき、コストも低減できる。
【００５３】
（２）内障子３の戸先錠６０において、前記各寸法Ｄ，Ｅを、Ｄ＜Ｅの関係に設定したので、内障子３を閉めた際も、戸先框３３の接触面３３Ａと気密材１４５とを密着でき、気密性を向上できる。
【００５４】
（３）障子３，４を閉めた際に、召合せ框３４に取り付けた第１引寄せ片７１の第１当接部７１１と、召合せ框４４に取り付けた第２引寄せ片７２の第２当接部７２２２とが当接して、各召合せ框３４、４４を互いに近づける方向に引き寄せる。このため、気密材３４５、４４５と、各召合せ框３４、４４との密着が強くなり、召合せ框３４、４４における気密性を向上できるとともに、召合せ框３４、４４のがたつきも防止できる。
【００５５】
［第２実施形態］
次に、本発明の第２実施形態について、図１３、１４を参照して説明する。
第２実施形態では、外障子４の戸先框４３に密着する気密材１３５を、縦枠１３の室外見付け片部１３２に設けている。すなわち、気密材１３５を、室外見付け片部１３２の屋内面から屋内側に突設し、戸先框４３の屋外側の接触面４３Ｂに接触させている。従って、第２実施形態では、室外見付け片部１３２が気密材保持部として機能する。
また、この気密材１３５の位置の変更に伴い、外障子４の戸先錠５０Ａを、第１実施形態の戸先錠５０と異なる構成としている。
【００５６】
戸先錠５０Ａは、縦枠１３に取り付けられる錠受け部材５１Ａと、戸先框４３の屋内面に取り付けられる錠本体５２Ａとを備えている。
錠受け部材５１Ａは、第１実施形態の錠受け部材５１と同様に、固定板部５１１、係合板部５１２、係合孔５１３を備えている。そして、縦枠１３の中間見付け片部１３４から所定寸法離れた位置に、係合板部５１２を配置している。
【００５７】
錠本体５２Ａは、第１実施形態の錠本体５２と類似する構成であるが、フック部５４３Ａの先端の向きが屋内側に向かっている点と、摘み５４Ａが台座５３Ａの障子内周側（ガラス４５保持側）に配置されている点と、図示略の付勢部材である板バネが前記摘み５４Ａをフック部５４３Ａが屋内側に向かう方向に付勢している点で相違する。
すなわち、錠本体５２Ａの摘み５４Ａは、前記板バネによって、前記フック部５４３Ａが戸先框４３から離れる方向つまり屋内側に向かう方向に付勢されている。
【００５８】
そして、図１４に示すように、戸先錠５０Ａを施錠した際に、フック部５４３Ａの屋内側の見付面である当接部５４５が、錠受け部材５１Ａの係合板部５１２の屋外面（見付面）に当接する。従って、係合板部５１２の屋外側の見付面によって移動規制面５１５が構成されている。
【００５９】
この第２実施形態では、縦枠１３において、錠受け部材５１Ａの移動規制面５１５と、前記気密材１３５とが対向する。従って、図１３の外障子４を開いた状態で、前記移動規制面５１５から気密材１３５の屋内側端部（先端部）までの見込み寸法を寸法Ａとする。
一方、戸先框４３において前記気密材１３５が接触する接触面４３Ｂ（戸先框４３の屋外側の見付面）から、戸先框４３の移動規制面５１５に当接する前記フック部５４３Ａの当接部５４５までの見込み寸法を寸法Ｂとする。
さらに、前記移動規制面５１５から室外見付け片部１３２の屋内面つまり気密材１３５の基端部までの見込み寸法を寸法Ｃとする。
【００６０】
ここで、前記フック部５４３Ａの当接部５４５は、利用者が摘み５４Ａを押し込むことなどで、見込み方向の屋外側に移動するが、前記寸法Ｂは前記フック部５４３Ａの当接部５４５が最も屋内側に移動した状態の寸法つまり最大寸法である。
ここで、前記寸法Ａは、寸法Ｂよりも小さな寸法に設定されている。本実施形態では、寸法Ｂは、寸法Ａの１．１倍程度に設定されている。また、前記寸法Ｂは、寸法Ｃよりも小さな寸法に設定されている。従って、各寸法Ａ，Ｂ，Ｃは、Ａ＜Ｂ＜Ｃの関係に設定されている。
【００６１】
ここで、外障子４を閉めると、フック部５４３Ａの傾斜面５４４が錠受け部材５１Ａの係合板部５１２に当接する。このため、フック部５４３Ａは、前記板バネの付勢力に抗して、前記傾斜面５４４の作用で屋外側つまり戸先框４３に近づく方向に回動する。
そのまま、外障子４を閉めると、図１４に示すように、フック部５４３Ａの先端が錠受け部材５１Ａの係合孔５１３に係合する。このため、フック部５４３Ａは、前記板バネの付勢力によって、戸先框４３から離れる方向に回動する。
このとき、戸先框４３の接触面４３Ｂの見込み方向の位置は、フック部５４３Ａの当接部５４５が移動規制面５１５に当接する位置で最も屋外側となる。この際、フック部５４３Ａの当接部５４５つまり移動規制面５１５から戸先框４３の接触面４３Ｂまでの見込み寸法は、前記板バネの付勢力によって寸法Ｂに維持される。従って、移動規制面５１５から寸法Ａ（Ａ＜Ｂ）の位置にある気密材１３５の屋内側端部は、確実に戸先框４３の接触面４３Ｂに接触し、気密性を確保する。
【００６２】
この第２実施形態においても前記第１実施形態と同様の作用効果を奏する。
すなわち、外障子４の戸先錠５０Ａにおいて、前記各寸法Ａ，Ｂ，Ｃを、Ａ＜Ｂ＜Ｃの関係に設定しているので、外障子４を閉めると前記フック部５４３Ａの当接部５４５が移動規制面５１５に当接し、板バネ５６の付勢力で戸先框４３が気密材保持部である室外見付け片部１３２側に引き寄せられる。このため、戸先框４３の接触面４３Ｂと気密材１３５との密着が強くなり、気密性を向上できるとともに、戸先框４３のがたつきも防止できる。また、戸先錠５０Ａが戸先框４３の引き寄せ機構を兼用しているので、部品点数を低減できて引違い窓１の組立性を向上でき、コストも低減できる。
【００６３】
［変形例］
なお、本発明は、前記実施形態に限定されるものではなく、本発明の目的を達成できる他の構成等を含み、以下に示すような変形等も本発明に含まれる。
たとえば、前記第１実施形態では、中間見付け片部１３４の屋内面を移動規制面１３６としていたが、中間見付け片部１３４から錠受け部材５１を離して配置した場合のように、フック部５４３を錠受け部材５１に当接させて錠受け部材５１に移動規制面を設けてもよい。同様に、第２実施形態では、縦枠１３側に移動規制面を設けてもよい。
【００６４】
錠受け部材５１、５１Ａや、錠本体５２、５２Ａの具体的構成は前記実施形態に限らない。
また、窓枠２や各障子３，４は、樹脂製のものに限らず、アルミ形材で構成したものや、アルミ形材と樹脂材とを組み合わせたものなど、従来から知られている各種の窓枠や障子が利用できる。
【００６５】
本発明の建具は、引違い窓１に限らず、片引き窓でもよい。この場合、内障子３や外障子４の一方を固定障子とすればよい。さらに、本発明の建具は、上げ下げ窓、片上げ下げ窓のように、障子が上下にスライド移動するものでもよい。
【符号の説明】
【００６６】
１…建具である引違い窓、２…建具枠である窓枠、３…内障子、４…外障子、３３，４３…戸先框、３３Ａ，４３Ａ，４３Ｂ…接触面、３４、４４…召合せ框、５０、５０Ａ、６０…戸先錠、５１、５１Ａ、６１…錠受け部材、５２、５２Ａ…錠本体、７０…引寄せ機構、７１…第１引寄せ片、７２…第２引寄せ片、１３２…室外見付け片部、１３４…中間見付け片部、１３５…気密材、１３６…移動規制面、１４４…中間見付け片部、１４５…気密材、１４６、５１５…移動規制面、３４５、４４５…気密材、５４３、５４３Ａ、５８１…フック部、５４５…当接部、７１１…第１当接部、７２２２…第２当接部。
【図１】
0005728404.tif 000002
【図２】
0005728404.tif 000003
【図３】
0005728404.tif 000004
【図４】
0005728404.tif 000005
【図５】
0005728404.tif 000006
【図６】
0005728404.tif 000007
【図７】
0005728404.tif 000008
【図８】
0005728404.tif 000009
【図９】
0005728404.tif 000010
【図１０】
0005728404.tif 000011
【図１１】
0005728404.tif 000012
【図１２】
0005728404.tif 000013
【図１３】
0005728404.tif 000014
【図１４】
0005728404.tif 000015